(57)【要約】【課題】バージョン違いの楽曲が存在する楽曲をカラオケ歌唱する際、利用者がどのバージョンの楽曲に合わせた歌い方をするかに関わらず、カラオケ歌唱に合った背景画像の表示や歌詞テロップの色替えを可能とするカラオケ装置を提供する。【解決手段】バージョン違いの楽曲がある場合、そのリファレンスデータを取得すると共に、背景画像データ、及び歌詞テロップ表示データの少なくとも一方を取得するデータ取得部、所定の演奏区間毎に、最も高い採点値を算出する際に使用したリファレンスデータを有する楽曲を特定する楽曲特定部、特定された楽曲がバージョン違いの楽曲の場合、特定された楽曲の背景画像に切り替える背景画像制御部、特定された楽曲がバージョン違いの楽曲の場合、歌詞テロップの色替えを行うタイミングを、特定された楽曲の歌詞テロップ表示データに基づいて切り替える歌詞テロップ制御部と、のうち、少なくとも一方を有するカラオケ装置。【選択図】図２
2018189735.tif 000002
【特許請求の範囲】
【請求項１】
ある楽曲が選曲された場合、当該ある楽曲と構成が同じであり、リファレンスデータが異なるバージョン違いの楽曲があるかどうかを判定する楽曲判定部と、
前記バージョン違いの楽曲があると判定された場合、当該バージョン違いの楽曲の前記リファレンスデータを取得すると共に、背景画像データ、及び歌詞テロップ表示データの少なくとも一方を取得するデータ取得部と、
選曲された前記ある楽曲のカラオケ演奏を行う演奏制御部と、
所定の演奏区間毎に、前記ある楽曲のカラオケ歌唱に伴う歌唱音声データを、前記ある楽曲のリファレンスデータ及び取得した前記バージョン違いの楽曲のリファレンスデータそれぞれと比較することで採点値を算出し、最も高い採点値を算出する際に使用したリファレンスデータを有する楽曲を特定する楽曲特定部と、
前記カラオケ演奏に伴い、前記ある楽曲の背景画像を表示部に表示させ、且つ前記表示部に表示される前記ある楽曲の歌詞テロップの色替えを行う表示制御部と、
を有し、
前記表示制御部は、
特定された前記楽曲が前記バージョン違いの楽曲の場合、前記表示部に表示された背景画像を、特定された前記楽曲の背景画像データに基づく背景画像に切り替える背景画像制御部と、
特定された前記楽曲が前記バージョン違いの楽曲の場合、前記歌詞テロップの色替えを行うタイミングを、特定された前記楽曲の歌詞テロップ表示データに基づいて切り替える歌詞テロップ制御部と、
のうち、少なくとも一方を有するカラオケ装置。
【請求項２】
前記楽曲判定部は、前記ある楽曲と楽曲名が同一の楽曲を検索し、楽曲名が同一の楽曲がある場合、検索された当該楽曲の歌詞データと、前記ある楽曲の歌詞データと比較することにより、前記バージョン違いの楽曲があるかどうかを判定することを特徴とする請求項１記載のカラオケ装置。
【請求項３】
前記楽曲特定部は、前記ある楽曲のキーと前記バージョン違いの楽曲のキーが異なる場合、前記バージョン違いの楽曲のキーを前記ある楽曲のキーに合わせ、前記ある楽曲のテンポと前記バージョン違いの楽曲のテンポが異なる場合、前記バージョン違いの楽曲のテンポを前記ある楽曲のテンポに合わせ、前記採点値を算出することを特徴とする請求項１または２記載のカラオケ装置。
【発明の詳細な説明】
【技術分野】
【０００１】
本発明はカラオケ装置に関する。
【背景技術】
【０００２】
カラオケ装置は、マイクにより入力された歌唱音声から音高データ、音量データ、リズムデータ等の歌唱音声データを抽出し、カラオケ演奏された楽曲の主旋律を示すリファレンスデータと比較することにより、カラオケ歌唱の採点を行うことができる。
【０００３】
カラオケ歌唱の採点に関して、一の歌唱音声データを異なる基準を用いて評価する技術がある。
【０００４】
たとえば、特許文献１には、二人の歌唱者で歌唱するデュエット曲や複数の歌唱者で合唱する曲といった複数の歌唱パートを有する曲のカラオケ歌唱を採点する方法が開示されている。具体的に、特許文献１の評価装置は、楽曲データ毎に歌唱パート毎のリファレンスデータを紐づけして予め記憶しておく。評価装置は、歌唱音声信号から検出されたピッチと歌唱パート毎のリファレンスデータとをノート毎に比較し、その差分に基づいて複数のリファレンスデータのうちのいずれかひとつをノート毎に選択する。そして、評価装置は、予め定められた回数以上連続して同一のリファレンスデータが選択された場合に、選択されたリファレンスデータを評価用データとして採用することで歌唱音声信号を評価する。このように先行文献１の評価装置によれば、複数の歌唱（又は演奏）パートを有する曲において、歌唱（又は演奏）されているパートに対応した評価を行うことができる。
【０００５】
また、特許文献２には、一のカラオケ歌唱の採点を複数の要素（たとえば音程、音量、リズム）によって行い、その結果を表示することが可能なカラオケ装置が記載されている。
【先行技術文献】
【特許文献】
【０００６】
【特許文献１】特開２００８−２６８３６８号公報
【特許文献２】特開平１０−１６１６７３号公報
【発明の概要】
【発明が解決しようとする課題】
【０００７】
ところで、カラオケ楽曲の中には、バージョン違いの楽曲がある。バージョン違いの楽曲は、楽曲の構成は同じであるが、アーティスト特有の節回し等、歌い方が異なるため、リファレンスデータ（音高、音長、音量等）が異なっている。また、バージョン違いの楽曲は、背景画像を表示させるための背景画像データや、歌詞テロップに含まれる各文字の色替えのタイミングを示す歌詞テロップ表示データが異なっている。バージョン違いの楽曲は、たとえば、ある歌手が他の歌手の楽曲を自らの歌い方で歌唱するカバー曲や、ある歌手が他の歌手に作詞・作曲して提供した楽曲を自らが歌唱するセルフカバー曲である。バージョン違いの楽曲は、カラオケ装置において、異なる識別情報（楽曲ＩＤ）を持つ楽曲として記憶されている。
【０００８】
ここで、たとえば楽曲Ｘとそのバージョン違いの楽曲Ｘ´があるとする。楽曲Ｘが選曲された場合、カラオケ装置は、楽曲Ｘの伴奏データに基づいてカラオケ演奏を行う。この際、カラオケ装置は、カラオケ演奏の進行に伴って背景画像を表示部に表示させると共に、歌詞テロップの色替えを行う。
【０００９】
一方、楽曲Ｘのカラオケ歌唱中に、利用者が楽曲Ｘの節回しからバージョン違いの楽曲Ｘ´の節回しに変えて歌唱する場合や、利用者αが１番を楽曲Ｘのバージョン（楽曲Ｘを歌唱する歌手の歌い方）で歌唱し、利用者βが２番を楽曲Ｘ´のバージョンで歌唱するといった場合がありうる。
【００１０】
このような場合であっても、背景画像の表示は楽曲Ｘの背景画像データに基づいて行われる。従って、実際のカラオケ歌唱の雰囲気とは異なる背景画像が表示される場合がある。このような場合には、利用者が視覚的に違和感を持つことになるため、カラオケの興趣を欠くという問題がある。
【００１１】
同様に、歌詞テロップの色替えは楽曲Ｘの歌詞テロップ表示データに基づいて行われる。従って、楽曲Ｘとそのバージョン違いの楽曲Ｘ´とで歌唱のノリやタメ等が異なると、実際のカラオケ歌唱と歌詞テロップの色替えのタイミングとがずれる場合がある。このような場合には、利用者がカラオケ歌唱時を行い難いという問題がある。
【００１２】
本発明の目的は、バージョン違いの楽曲が存在する楽曲をカラオケ歌唱する際に、利用者がどのバージョンの楽曲に合わせた歌い方をするかに関わらず、カラオケ歌唱に合った背景画像の表示や歌詞テロップの色替えを可能とするカラオケ装置を提供することにある。
【課題を解決するための手段】
【００１３】
上記目的を達成するための主たる発明は、ある楽曲が選曲された場合、当該ある楽曲と構成が同じであり、リファレンスデータが異なるバージョン違いの楽曲があるかどうかを判定する楽曲判定部と、前記バージョン違いの楽曲があると判定された場合、当該バージョン違いの楽曲の前記リファレンスデータを取得すると共に、背景画像データ、及び歌詞テロップ表示データの少なくとも一方を取得するデータ取得部と、選曲された前記ある楽曲のカラオケ演奏を行う演奏制御部と、所定の演奏区間毎に、前記ある楽曲のカラオケ歌唱に伴う歌唱音声データを、前記ある楽曲のリファレンスデータ及び取得した前記バージョン違いの楽曲のリファレンスデータそれぞれと比較することで採点値を算出し、最も高い採点値を算出する際に使用したリファレンスデータを有する楽曲を特定する楽曲特定部と、前記カラオケ演奏に伴い、前記ある楽曲の背景画像を表示部に表示させ、且つ前記表示部に表示される前記ある楽曲の歌詞テロップの色替えを行う表示制御部と、を有し、前記表示制御部は、特定された前記楽曲が前記バージョン違いの楽曲の場合、前記表示部に表示された背景画像を、特定された前記楽曲の背景画像データに基づく背景画像に切り替える背景画像制御部と、特定された前記楽曲が前記バージョン違いの楽曲の場合、前記歌詞テロップの色替えを行うタイミングを、特定された前記楽曲の歌詞テロップ表示データに基づいて切り替える歌詞テロップ制御部と、のうち、少なくとも一方を有するカラオケ装置である。
本発明の他の特徴については、後述する明細書及び図面の記載により明らかにする。
【発明の効果】
【００１４】
本発明によれば、バージョン違いの楽曲が存在する楽曲をカラオケ歌唱する際に、利用者がどのバージョンの楽曲に合わせた歌い方をするかに関わらず、カラオケ歌唱に合った背景画像の表示や歌詞テロップの色替えが可能となる。
【図面の簡単な説明】
【００１５】
【図１】実施形態に係るカラオケ装置のハードウェア構成例を示す図である。
【図２】実施形態に係るカラオケ本体のソフトウェア構成例を示す図である。
【図３】実施形態に係るカラオケ装置の処理を示すフローチャートである。
【発明を実施するための形態】
【００１６】
後述する明細書及び図面の記載から、上記の主たる発明の他、少なくとも以下の事項が明らかとなる。
【００１７】
すなわち、前記楽曲判定部が、前記ある楽曲と楽曲名が同一の楽曲を検索し、楽曲名が同一の楽曲がある場合、検索された当該楽曲の歌詞データと、前記ある楽曲の歌詞データと比較することにより、前記バージョン違いの楽曲があるかどうかを判定するカラオケ装置が明らかとなる。このようなカラオケ装置によれば、バージョン違いの楽曲の有無を確実に判断することができる。
【００１８】
また、前記楽曲特定部が、前記ある楽曲のキーと前記バージョン違いの楽曲のキーが異なる場合、前記バージョン違いの楽曲のキーを前記ある楽曲のキーに合わせ、前記ある楽曲のテンポと前記バージョン違いの楽曲のテンポが異なる場合、前記バージョン違いの楽曲のテンポを前記ある楽曲のテンポに合わせ、前記採点値を算出するカラオケ装置が明らかとなる。このようなカラオケ装置によれば、バージョン違いの楽曲のキーやテンポが選曲された楽曲のキーやテンポと異なる場合であっても正確な採点が可能となる。
【００１９】
＜実施形態＞
図１〜図３を参照して、実施形態に係るカラオケ装置１について説明する。
【００２０】
＝＝カラオケ装置＝＝
カラオケ装置１は、歌唱者が選曲した楽曲のカラオケ演奏及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００２１】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の歌唱音声（マイク４０からの入力音声）をアナログの歌唱音声信号に変換してカラオケ本体１０に入力するための構成である。
【００２２】
（カラオケ本体のハードウェア）
カラオケ本体１０は、選曲された楽曲のカラオケ演奏制御、歌詞や背景画像等の表示制御、マイク４０を通じて入力された歌唱音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００２３】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２４】
通信部１２は、ルーター（図示なし）を介してカラオケ本体１０を通信回線に接続するためのインターフェースを提供する。
【００２５】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２６】
楽曲データは、個々の楽曲を特定するための識別情報（楽曲ＩＤ）が付与されている。楽曲データは、伴奏データ、リファレンスデータ、演奏区間データ等を含む。伴奏データは、カラオケ演奏音の元となるＭＩＤＩ形式のデータである。リファレンスデータは、利用者によるカラオケ歌唱を採点する際の基準として用いられるデータである。演奏区間データは、各楽曲に含まれる演奏区間（たとえば、１番のＡメロ、１番のＢメロ、１番のサビ、間奏、２番のＡメロ・・・・）を示すデータである。演奏区間データは、各演奏区間の開始位置を示す演奏マークデータを含む。各演奏区間は、演奏マークデータを参照することで識別できる。
【００２７】
また、記憶部１３は、各楽曲に対応する歌詞テロップに含まれる各文字のテキストに対応する歌詞データ、各楽曲に対応する歌詞テロップを表示装置３０等に表示させる際の各種タイミングを示す歌詞テロップ表示データ、カラオケ演奏時に合わせて表示装置３０等に表示される背景画像に対応する背景画像データ、及び楽曲の属性情報（曲名、歌手名、作詞・作曲者名、及びジャンル等の当該楽曲に関する情報）を記憶する。本実施形態に係る歌詞テロップ表示データは、少なくとも歌詞テロップに含まれる各文字の色替えのタイミングを示す色替えタイミングデータを含む。
【００２８】
音響処理部１４は、制御部１１の制御に基づき、楽曲に対するカラオケ演奏の制御およびマイク４０を通じて入力された歌唱音声信号の処理を行う。音響処理部１４は、たとえばＭＩＤＩ音源、ミキサ、アンプ（いずれも図示なし）を含む。制御部１１は、予約された楽曲の伴奏データを、テンポクロック信号に基づいて順次読み出し、ＭＩＤＩ音源に入力する。ＭＩＤＩ音源は、当該伴奏データに基づいて楽音信号を生成する。ミキサは、当該音楽信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２９】
表示処理部１５は、制御部１１の制御に基づき、表示装置３０における各種表示に関する処理を行う。たとえば、表示処理部１５は、カラオケ演奏時における背景画像に歌詞テロップや各種アイコンが重ねられた映像を表示装置３０に表示させる制御を行う。
【００３０】
操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００３１】
リモコン装置５０は、カラオケ本体１０に対する各種操作をおこなうための装置である。歌唱者はリモコン装置５０を用いてカラオケ歌唱を希望する楽曲の選曲（予約）等を行うことができる。
【００３２】
（カラオケ本体のソフトウェア）
図２はカラオケ本体１０のソフトウェア構成例を示す図である。カラオケ本体１０は、楽曲判定部１００、リファレンスデータ取得部２００、演奏制御部３００、楽曲特定部４００、及び表示制御部５００を備える。楽曲判定部１００、リファレンスデータ取得部２００、演奏制御部３００、楽曲特定部４００、及び表示制御部５００は、ＣＰＵ１１ａがメモリ１１ｂに記憶されるプログラムを実行することにより実現される。
【００３３】
［楽曲判定部］
楽曲判定部１００は、ある楽曲が選曲された場合、当該ある楽曲と構成が同じであり、リファレンスデータが異なるバージョン違いの楽曲があるかどうかを判定する。
【００３４】
バージョン違いの楽曲は、上述の通り、ある楽曲と構成が同じであり、リファレンスデータが異なる楽曲である。「楽曲の構成が同じ」とは、楽曲同士の構成に明確な差が無いことをいう。たとえば、伴奏データの一部が少し異なっている場合や、楽器構成、音高、リズム等が少し変更されている場合であっても、楽曲の構成としては同じであるといえる。また、バージョン違いの楽曲は、楽曲ＩＤ、属性情報、背景画像データ、及び歌詞テロップ表示データが異なるため、カラオケ装置１では異なる楽曲として認識される。一方、歌詞データや演奏区間データは同一である。
【００３５】
バージョン違いの楽曲があるかどうかの判定は、たとえば、楽曲判定部１００が、選曲されたある楽曲と楽曲名が同一の楽曲を検索し、楽曲名が同一の楽曲がある場合、検索された当該楽曲の歌詞データと、ある楽曲の歌詞データと比較することにより行う。
【００３６】
具体例として、利用者αがリモコン装置５０を介して楽曲Ｘの選曲（予約）を行ったとする。この場合、楽曲判定部１００は、楽曲Ｘにバージョン違いの楽曲があるかどうかを判定する。
【００３７】
すなわち、楽曲判定部１００は、記憶部１３に記憶されている複数の楽曲の属性情報を参照し、楽曲Ｘと楽曲名が同一の楽曲を検索する。ここでは、楽曲名が同一の楽曲として、楽曲Ｘ´、Ｘ´´、Ｙ、Ｙ´が検索されたとする。
【００３８】
楽曲判定部１００は、検索された楽曲Ｘ´、Ｘ´´、Ｙ、Ｙ´の歌詞データを記憶部１３から読み出し、楽曲Ｘの歌詞データと比較する。楽曲判定部１００は、検索された楽曲のうち、選曲された楽曲と歌詞データが一致する楽曲をバージョン違いの楽曲であると判定する。ここでは、楽曲Ｘ´、Ｘ´´がバージョン違いの楽曲であると判定されたとする。楽曲判定部１００は、判定結果（たとえば、判定されたバージョン違いの楽曲の楽曲ＩＤ）をリファレンスデータ取得部２００に出力する。
【００３９】
［リファレンスデータ取得部］
リファレンスデータ取得部２００は、バージョン違いの楽曲があると判定された場合、当該バージョン違いの楽曲のリファレンスデータを取得すると共に、背景画像データ、及び歌詞テロップ表示データの少なくとも一方を取得する。
【００４０】
具体的に、リファレンスデータ取得部２００は、楽曲判定部１００から出力されたバージョン違いの楽曲の楽曲ＩＤに基づいて、記憶部１３からバージョン違いの楽曲のリファレンスデータを取得する。またその際に、リファレンスデータ取得部２００は、背景画像データ、及び歌詞テロップ表示データの少なくとも一方を取得する。
【００４１】
たとえば、上記例の通り楽曲Ｘ´、Ｘ´´がバージョン違いの楽曲であると判定されたとする。この場合、リファレンスデータ取得部２００は、楽曲Ｘ´及び楽曲Ｘ´´の楽曲ＩＤに基づいて記憶部１３を検索し、楽曲Ｘ´及び楽曲Ｘ´´のリファレンスデータ、背景画像データ、及び歌詞テロップ表示データを取得する。
【００４２】
［演奏制御部］
演奏制御部３００は、カラオケ装置１におけるカラオケ演奏に関する各種制御を行う。本実施形態に係る演奏制御部３００は、選曲されたある楽曲のカラオケ演奏を行う。
【００４３】
たとえば、利用者αがリモコン装置５０を介して楽曲Ｘの選曲（予約）を行ったとする。この場合、演奏制御部３００は、記憶部１３から楽曲Ｘの楽曲データを読み出し、音響処理部１４を制御することにより、楽曲Ｘのカラオケ演奏を行わせる。利用者αは、カラオケ演奏に合わせてカラオケ歌唱を行うことができる。
【００４４】
［楽曲特定部］
楽曲特定部４００は、所定の演奏区間毎に、ある楽曲のカラオケ歌唱に伴う歌唱音声データを、ある楽曲のリファレンスデータ及び取得したバージョン違いの楽曲のリファレンスデータそれぞれと比較することで採点値を算出し、最も高い採点値を算出する際に使用したリファレンスデータを有する楽曲を特定する。
【００４５】
採点値の算出は、公知の手法を用いることが可能である。たとえば、楽曲特定部４００は、マイク４０から入力された歌唱音声信号から、音高データ、音量データ等の歌唱音声データを抽出し、現在カラオケ演奏している楽曲のリファレンスデータと比較することにより、採点値を算出する。本実施形態において、採点値の算出は、演奏区間データに基づき、楽曲毎に予め設定されている所定の演奏区間毎（たとえば、１番、２番・・・）のカラオケ歌唱が終了する都度、行う。
【００４６】
また、本実施形態において、リファレンスデータ取得部２００によりバージョン違いの楽曲のリファレンスデータが取得されている場合、楽曲特定部４００は、一の歌唱音声データを複数のリファレンスデータそれぞれと比較を行う。すなわち、楽曲特定部４００は、複数のリファレンスデータそれぞれに基づく複数の採点値を算出する。
【００４７】
楽曲特定部４００は、算出された複数の採点値の中から、最も高い採点値を求める。楽曲特定部４００は、最も高い採点値を算出する際に使用したリファレンスデータを有する楽曲を特定する。楽曲特定部４００は、特定した楽曲を識別するための情報（たとえば楽曲ＩＤ）を表示制御部５００に出力する。
【００４８】
ここで、上記例のように、リファレンスデータ取得部２００により楽曲Ｘ´及び楽曲Ｘ´´のリファレンスデータが取得されたとする。また、楽曲Ｘは、所定の演奏区間として「１番」、「２番」、「３番」があるとする。
【００４９】
この場合、楽曲特定部４００は、楽曲Ｘの１番のカラオケ演奏が終了した時点で、１番のカラオケ歌唱に基づいて得られた歌唱音声データを楽曲Ｘのリファレンスデータ、楽曲Ｘ´のリファレンスデータ、及び楽曲Ｘ´´のリファレンスデータそれぞれと比較し、最も高い採点値を求める。そして、楽曲特定部４００は、最も高い採点値を算出する際に使用したリファレンスデータを有する楽曲（たとえば、楽曲Ｘ）を特定し、その楽曲ＩＤを表示制御部５００に出力する。同様に、楽曲特定部４００は、楽曲Ｘの２番のカラオケ演奏が終了した時点で、２番のカラオケ歌唱に基づいて得られた歌唱音声データを楽曲Ｘのリファレンスデータ、楽曲Ｘ´のリファレンスデータ、及び楽曲Ｘ´´のリファレンスデータそれぞれと比較し、最も高い採点値を算出する際に使用したリファレンスデータを有する楽曲（たとえば、楽曲Ｘ）を特定し、その楽曲ＩＤを表示制御部５００に出力する。
【００５０】
［表示制御部］
表示制御部５００は、カラオケ装置１における各種表示に関する制御を行う。本実施形態に係る表示制御部５００は、選曲されたある楽曲のカラオケ演奏に伴い、ある楽曲の背景画像を表示部に表示させ、且つ表示部に表示されるある楽曲の歌詞テロップの色替えを行う。カラオケ装置１が有する表示装置３０は、「表示部」の一例である。
【００５１】
また、本実施形態に係る表示制御部５００は、背景画像制御部５００ａ及び歌詞テロップ制御部５００ｂを含む。
【００５２】
（背景画像制御部）
背景画像制御部５００ａは、特定された楽曲がバージョン違いの楽曲の場合、表示部に表示された背景画像を、特定された楽曲の背景画像データに基づく背景画像に切り替える。
【００５３】
たとえば、演奏制御部３００により、楽曲Ｘのカラオケ演奏が行われているとする。この場合、背景画像制御部５００ａは、楽曲Ｘの背景画像データに基づいて表示装置３０に楽曲Ｘの背景画像を表示させる。
【００５４】
一方、楽曲特定部４００から楽曲Ｘのバージョン違いの楽曲である楽曲Ｘ´の楽曲ＩＤの入力を受けた場合、背景画像制御部５００ａは、楽曲Ｘの背景画像に替えて、リファレンスデータ取得部２００が取得した楽曲Ｘ´の背景画像データに基づく背景画像を表示させる。
【００５５】
（歌詞テロップ制御部）
歌詞テロップ制御部５００ｂは、特定された楽曲がバージョン違いの楽曲の場合、歌詞テロップの色替えを行うタイミングを、特定された楽曲の歌詞テロップ表示データに基づいて切り替える。
【００５６】
たとえば、演奏制御部３００により、楽曲Ｘのカラオケ演奏が行われているとする。この場合、歌詞テロップ制御部５００ｂは、カラオケ演奏の進行に伴い、楽曲Ｘの歌詞テロップ表示データに基づくタイミングで、表示装置３０に表示された楽曲Ｘの歌詞テロップの色替えを行う。
【００５７】
一方、楽曲特定部４００から楽曲Ｘのバージョン違いの楽曲である楽曲Ｘ´の楽曲ＩＤの入力を受けた場合、歌詞テロップ制御部５００ｂは、楽曲Ｘの色替えタイミングに替えて、リファレンスデータ取得部２００が取得した楽曲Ｘ´の歌詞テロップ表示データに基づくタイミングで歌詞テロップの色替えを行う。
【００５８】
＝＝カラオケ装置１の動作について＝＝
次に、図３を参照して本実施形態におけるカラオケ装置１の動作の具体例について述べる。図３は、カラオケ装置１の動作例を示すフローチャートである。
【００５９】
利用者は、リモコン装置５０を介して楽曲Ｘの予約を行う（楽曲の予約。ステップ１０）。
【００６０】
楽曲判定部１００は、楽曲Ｘにバージョン違いの楽曲があるかどうかを判定する（バージョン違いの楽曲の有無を判定。ステップ１１）。
【００６１】
バージョン違いの楽曲がある場合（ステップ１２でＹの場合）、楽曲判定部１００は、判定結果をリファレンスデータ取得部２００に出力する。
【００６２】
リファレンスデータ取得部２００は、記憶部１３からバージョン違いの楽曲のリファレンスデータ、背景画像データ、及び歌詞テロップ表示データを取得する（リファレンスデータ等の取得。ステップ１３）。
【００６３】
演奏制御部３００は、予約した楽曲Ｘのカラオケ演奏を行う（予約した楽曲のカラオケ演奏。ステップ１４）。
【００６４】
表示制御部５００は、ステップ１４のカラオケ演奏に合わせて背景画像の表示、歌詞テロップの表示及び色替えを行う（背景画像等の表示。ステップ１５）。
【００６５】
楽曲特定部４００は、楽曲Ｘのカラオケ歌唱に伴う歌唱音声データを、楽曲Ｘのリファレンスデータ、及びステップ１３で取得したバージョン違いの楽曲のリファレンスデータそれぞれと比較することで採点値を算出する（リファレンスデータ毎に採点値を算出。ステップ１６）。
【００６６】
楽曲特定部４００は、ステップ１６で算出した複数の採点値の中から、最も高い採点値を算出する際に使用したリファレンスデータを有する楽曲を特定する（楽曲の特定。ステップ１７）。
【００６７】
ステップ１７で特定された楽曲がバージョン違いの楽曲の場合（ステップ１８でＹの場合）、背景画像制御部５００ａは、表示装置３０に表示された背景画像を、ステップ１７で特定された楽曲の背景画像データに基づく背景画像に切り替える。また、歌詞テロップ制御部５００ｂは、歌詞テロップの色替えのタイミングを、ステップ１７で特定された楽曲の歌詞テロップ表示データに基づくタイミングに切り替える（背景画像、及び歌詞テロップの色替えタイミングの切り替え。ステップ１９）。
【００６８】
以上から明らかなように、本実施形態に係るカラオケ装置１は、楽曲判定部１００、リファレンスデータ取得部２００、演奏制御部３００、楽曲特定部４００、及び表示制御部５００（背景画像制御部５００ａ、歌詞テロップ制御部５００ｂ）を有する。たとえば、楽曲判定部１００は、楽曲Ｘが選曲された場合、楽曲Ｘのバージョン違いの楽曲があるかどうかを判定する。リファレンスデータ取得部２００は、バージョン違いの楽曲があると判定された場合、当該バージョン違いの楽曲のリファレンスデータ、背景画像データ、及び歌詞テロップ表示データを取得する。楽曲特定部４００は、楽曲Ｘのカラオケ歌唱に伴う歌唱音声データを、楽曲Ｘのリファレンスデータ及び取得したバージョン違いの楽曲のリファレンスデータそれぞれと比較することで採点値を算出し、最も高い採点値を算出する際に使用したリファレンスデータを有する楽曲を特定する。背景画像制御部５００ａは、特定された楽曲がバージョン違いの楽曲の場合、表示装置３０に表示された背景画像を、特定された楽曲の背景画像データに基づく背景画像に切り替える。また、歌詞テロップ制御部５００ｂは、特定された楽曲がバージョン違いの楽曲の場合、歌詞テロップの色替えを行うタイミングを、特定された楽曲の歌詞テロップ表示データに基づいて切り替える。
【００６９】
このように、選曲された楽曲にバージョン違いの楽曲がある場合に、歌唱音声データとそれらの楽曲全てのリファレンスデータとを比較することにより、一のカラオケ歌唱に対して複数の採点値が算出されることとなる。また、その中で最も高い採点値により特定される楽曲は、実際のカラオケ歌唱が行われている楽曲である可能性が高い。そこで、特定された楽曲がバージョン違いの楽曲の場合には、背景画像を当該バージョン違いの楽曲の背景画像データに基づいて切り替え、且つ歌詞テロップの色替えを行うタイミングを当該バージョン違いの楽曲の歌詞テロップ表示データに基づいて切り替える。この場合、実際のカラオケ歌唱の雰囲気とは異なる背景画像が表示されることが無いため、利用者が視覚的な違和感を持つことが無い。従って、カラオケの興趣を欠くことが無い。また、実際のカラオケ歌唱と歌詞テロップの色替えのタイミングがずれることが無い。従って、利用者は、どの楽曲に合わせた歌い方をする場合であっても、歌詞テロップを参照しながらカラオケ歌唱し易くなる。すなわち、本実施形態に係るカラオケ装置１によれば、バージョン違いの楽曲が存在する楽曲をカラオケ歌唱する際に、利用者がどのバージョンの楽曲に合わせた歌い方をするかに関わらず、カラオケ歌唱に合った背景画像の表示及び歌詞テロップの色替えを行うことができる。
【００７０】
更に、本実施形態に係る楽曲判定部１００は、ある楽曲と楽曲名が同一の楽曲を検索し、楽曲名が同一の楽曲がある場合、検索された当該楽曲の歌詞データと、ある楽曲の歌詞データと比較することにより、バージョン違いの楽曲があるかどうかを判定する。このように、ある楽曲とバージョン違いの楽曲とで共通する情報（楽曲名及び歌詞データ）を用いることにより、バージョン違いの楽曲の有無を確実に判断できる。
【００７１】
なお、本実施形態においては、表示制御部５００が背景画像と歌詞テロップの色替えの両方を切り替える構成について説明したが、それぞれの効果は独立したものであるので、少なくとも一方を切り替えるような構成としてもよい。すなわち、表示制御部５００は、背景画像制御部５００ａ及び歌詞テロップ制御部５００ｂのうち、少なくとも一方を含んでいればよい。
【００７２】
また、本実施形態においては、楽曲Ｘの１番、２番、３番を所定の演奏区間として、それぞれのカラオケ歌唱が終了する都度、採点値の算出を行い、その算出結果に基づいて楽曲を特定する例について述べた。すなわち１番のカラオケ歌唱の終了の後に背景画像や歌詞テロップの色替えの切り替えを行う例について述べたがこれに限られない。たとえば、「１番のＡメロ」、「１番のＢメロ」、「１番のサビ」、「間奏」、「２番のＡメロ」・・・・を所定の演奏区間として、それぞれのカラオケ歌唱が終了する都度、採点値の算出を行い、その算出結果に基づいて楽曲を特定してもよい。これにより、背景画像や歌詞テロップの色替えの切り替えが早くなるため、より実際のカラオケ歌唱に即した背景画像の表示や歌詞テロップの色替えを行うことが可能となる。
【００７３】
更に、１小節を所定の演奏区間として、それぞれのカラオケ歌唱が終了する都度、採点値の算出を行い、その算出結果に基づいて楽曲を特定してもよい。これにより、バージョン違いの節回しでカラオケ歌唱が行われた直後に、背景画像や歌詞テロップの色替えが切り替わるという効果が得られる。なお、この際、採点値のわずかな差により１小節毎に特定される楽曲が変わってしまうことを避けるために、現在特定されている楽曲のリファレンスデータによる採点値を、他の楽曲のリファレンスデータが所定値以上、上回った場合にのみ、当該他の楽曲を特定するように構成してもよい。
【００７４】
＜変形例１＞
選曲された楽曲と、そのバージョン違いの楽曲とでは、曲のキーやテンポが異なる場合がありうる。この場合に、各楽曲のリファレンスデータに基づいて採点値の算出を行うと、正確な採点値を得ることができない。
【００７５】
そこで、楽曲特定部４００は、ある楽曲のキーとバージョン違いの楽曲のキーが異なる場合、バージョン違いの楽曲のキーをある楽曲のキーに合わせ、採点値の算出を行うようにしてもよい。或いは、楽曲特定部４００は、ある楽曲のテンポとバージョン違いの楽曲のテンポが異なる場合、バージョン違いの楽曲のテンポをある楽曲のテンポに合わせ、採点値の算出を行うようにしてもよい。
【００７６】
バージョン違いの楽曲のキーやテンポを選曲された楽曲のキーやテンポに合わせる方法は公知の手法を用いることができる。たとえば、楽曲特定部４００は、バージョン違いの楽曲のリファレンスデータに含まれるキーと選曲された楽曲のキーとの比較を行い、キーに差分ｄがある場合には、バージョン違いの楽曲のリファレンスデータに含まれるキーを選曲された楽曲のキーに合わせるよう、差分ｄだけ変更したうえで、採点値の算出を行う。
【００７７】
このようなカラオケ装置１によれば、バージョン違いの楽曲のキーやテンポが選曲された楽曲のキーやテンポと異なる場合であっても、キーやテンポを変更することができるため、正確な採点が可能となる。
【００７８】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７９】
１  カラオケ装置
１０  カラオケ本体
１００  楽曲判定部
２００  リファレンスデータ取得部
３００  演奏制御部
４００  楽曲特定部
５００  表示制御部
５００ａ  背景画像制御部
５００ｂ  歌詞テロップ制御部
【図１】
2018189735.tif 000003
【図２】
2018189735.tif 000004
【図３】
2018189735.tif 000005